(57)【特許請求の範囲】
【請求項１】
変流器の二次側から供給される電流を入力とし、この電流を装置内部の電源電流とすると共に、灯器へ出力する灯器断芯検出装置に於いて、灯器の発光部が断芯したことにより変流器の二次側が開放して発生する高電圧から灯器断芯検出装置を保護する過電圧保護回路と、この過電圧保護回路が動作したか否かにより所定レベルの過電圧が発生したか否かを検出する過電圧検出回路と、灯器の前段にて灯器断芯検出装置内部に電流をバイパスさせるためのリレーと、システム的に伝送路で接続された外部装置に情報を伝えるための伝送制御回路と、リレーと各回路を制御するための演算処理回路と、入力された電流より内部電源電圧を確保する電源回路より構成され、灯器断芯時に発生する高電圧を過電圧保護回路にて所定の電圧レベルに抑え、過電圧保護回路が動作したことを過電圧検出回路にて検出し、この検出結果により灯器が断芯したと判断し、リレーをメイク状態とし電流をバイパスさせることで電源回路への電流供給を保持すると共に、変流器の二次側の開放による高電圧の発生を復帰させ、伝送制御回路を介して灯器断芯が発生したことを外部装置に伝えることを特徴とする灯器断芯検出装置。
【請求項２】
請求項１に記載の灯器断芯検出装置に於いて、過電圧検出回路にて一度過電圧を検出しても灯器が断芯したと判断せず、過電圧検出回路にて過電圧検出後リレーをメイク状態とした後、所定時間後再度リレーをブレイク状態とさせ、過電圧検出回路にて再度過電圧を検出した場合に灯器が断芯したと判断するようにしたことを特徴とする灯器断芯検出装置。
【請求項３】
請求項１に記載の灯器断芯検出装置に於いて、リレーと並列に入力電流を内部でバイパス制御することにより灯器への出力電流を制御する調光回路を備え、灯器への出力電流を極端に少なくした状態に於いて、所定の周期で灯器の発光に影響を与えない程度の時間、所定の高いレベルの電流を出力するようにしたことを特徴とする灯器断芯検出装置。
【請求項４】
請求項１に記載の灯器断芯検出装置に於いて、過電圧検出回路にて過電圧検出後リレーをメイク状態とした後、所定時間後再度リレーをブレイク状態とさせる制御を、過電圧検出回路にて過電圧を検出しなくなるまで繰り返し実施し、過電圧検出回路にて過電圧を検出しなくなった後、リレーをブレイク状態とするようにしたことを特徴とする灯器断芯検出装置。
【請求項５】
請求項４に記載の灯器断芯検出装置に於いて、過電圧検出回路にて過電圧検出後リレーをメイク状態とした後、所定時間後再度リレーをブレイク状態とさせる制御を、過電圧検出回路にて過電圧を検出していても、所定回数に達したことを条件に中止し、リレーをメイク状態とするようにしたことを特徴とする灯器断芯検出装置。
【請求項６】
請求項４に記載の灯器断芯検出装置に於いて、過電圧検出回路にて過電圧検出後リレーをメイク状態とした後、所定時間後再度リレーをブレイク状態とさせる制御を、過電圧検出回路にて過電圧が発生しているか否かに無関係に所定回数実施し、所定回数実施後、過電圧検出回路にて過電圧が発生しているか否かを再度検出し、過電圧を検出した場合にはリレーをメイク状態とさせ、過電圧を検出しない場合にはリレーをブレイク状態とするようにしたことを特徴とする灯器断芯検出装置。
【請求項７】
請求項４，５あるいは６に記載の灯器断芯検出装置に於いて、リレーと並列に入力電流を内部でバイパス制御することにより、灯器への出力電流を制御する調光回路を備え、過電圧検出回路にて過電圧を検出したことにより灯器断芯を検出した場合、調光回路のバイパス制御を停止して入力電流を全て灯器側に出力させるようにしたことを特徴とする灯器断芯検出装置。
【請求項８】
請求項４，５，６あるいは７に記載の灯器断芯検出装置に於いて、演算処理回路からの制御により過電圧保護回路の過電圧制御レベルを多段階に切り替え可能な過電圧保護回路とし、常時は過電圧抑制レベルを低い状態に制御し、一度過電圧検出回路により過電圧を検出し灯器断芯を認識した場合に、過電圧保護回路の過電圧抑制レベルを高いレベルに切り替えるようにしたことを特徴とする灯器断芯検出装置。
【発明の詳細な説明】
【０００１】
【発明の属する技術分野】
本発明は、空港の滑走路・誘導路等に設置される誘導灯・制御灯等の灯器を制御する、航空機誘導灯監視システム等に於ける灯器断芯検出装置に係わり、特に灯器の発光部が断芯したことを検出し、伝送路で接続された外部装置に灯器が断芯したことを伝える灯器断芯検出装置に関する。
【０００２】
【従来の技術】
図８に従来の技術の構成図を記す。従来の航空機誘導監視システムは、定電流電源装置に複数の変流器を直列に接続し、この変流器の二次側に灯器１個のみを接続する場合と、この変流器の二次側に灯器を直列に複数個接続する場合があり、灯器を直列に接続する場合には個々の灯器と並列に高電圧を印加すると短絡動作するフィルムカットアウトを接続する構成としており、変流器の二次側に１個だけ灯器が接続されている場合にこの灯器が断芯すると、断芯した灯器が消灯状態になると共に、接続された変流器の二次側が開放することにより高電圧が発生したままの状態になり、変流器の二次側に複数の灯器が直列に接続されている場合に灯器が断芯すると、変流器の二次側が開放することにより高電圧が発生し、この高電圧が断芯した灯器と並列に接続されたフィルムカットアウトに印加されて短絡動作し、変流器の二次側から供給される電流をバイパスして、断芯していない他の灯器に変流器の二次側からの電流を供給し、点灯状態を保持させていた。
【０００３】
【発明が解決しようとする課題】
上記した従来技術によれば、灯器の断芯は灯器が点灯しないことを目視で発見するしか手段がなく、空港に設置されている膨大な数の灯器の中で断芯した灯器を発見するためには、人為的に全ての灯器の場所に行き灯器を一つずつ確認しなければならないため、断芯した灯器を発見するまでに時間と労力が掛かっていた。
【０００４】
また、灯器はいつ断芯するかは分からないため、断芯した灯器を発見する行為を所定の間隔で行わなければならなかった。
本発明は、上記の課題を解決すべく成されたものであり、システムの経済性と信頼性を低下させることなく灯器の断芯を検出して伝送路を介して外部装置に伝え、灯器が断芯したことを即時に発見できることを可能とさせる、灯器断芯検出装置を提供することを目的とする。
【０００５】
【課題を解決するための手段】
本発明を、図１に示す構成図を用いて説明する。変流器１の二次側から供給される電流を入力とし、この電流を装置内部の電源電流とすると共に灯器２に出力する灯器断芯検出装置であり、灯器２が断芯したことにより変流器１の二次側が開放して発生する高電圧から灯器断芯検出装置を保護する過電圧保護回路３と、この過電圧保護回路３が動作したか否かにより所定レベルの過電圧が発生したか否かを検出する過電圧検出回路４と、灯器２の前段にて電流をバイパスさせるためのリレー５と、システム的に伝送路６で接続された外部装置７に情報を伝えるための伝送制御回路８と、リレーと各回路を制御するための演算処理回路９と、入力された電流より内部電源電圧を確保する電源回路10より構成され灯器断芯検出装置である。
【０００６】
変流器１の二次側から供給される電流を入力して灯器２にこの電流を出力している時に灯器２が断芯すると、変流器１の二次側が開放状態となり高電圧が発生する。灯器２が断芯していない状態では開放状態を保持している過電圧保護回路３は灯器２が断芯した時に印加される高電圧を所定の電圧レベルで放電させて高電圧を所定の電圧レベルに抑制させる。過電圧検出回路４は過電圧保護回路３が放電したことにより通電する電流を検出し、過電圧が発生していることを演算処理回路９に伝える。演算処理回路９は過電圧が発生したことにより灯器２が断芯したと判断して灯器２の断芯による変流器１の二次側の開放を復帰させて灯器断芯検出装置の電源電圧を確保するため、リレー５をメイク状態にして変流器１の二次側から供給される電流をバイパスさせて電源回路10に供給すると共に、灯器２の断芯による変流器１の二次側の開放を復帰させて高電圧の発生を復帰させる。また演算処理回路９は灯器２が断芯したことを伝送制御回路８に情報を伝え、伝送制御回路８から伝送路６を介して外部装置７に灯器が断芯したことを伝える。
【０００７】
【発明の実施の形態】
（第１の実施の形態）
本発明を、図２に示す構成図を用いて説明する。変流器１の二次側から供給される電流を入力とし、この電流を装置内部の電源電流とすると共に灯器２に出力する灯器断芯検出装置であり、灯器２が断芯したことにより変流器１の二次側が開放して発生する高電圧からアレスタ11の放電により灯器断芯検出装置を保護する過電圧保護回路３と、この過電圧保護回路３が動作したか否かにより所定レベルの過電圧が発生したか否かをセンサー12検出する過電圧検出回路４と、灯器２の前段にて電流をバイパスさせるためのリレー５と、システム的に伝送路６で接続された外部装置７に情報を伝えるための伝送制御回路８と、リレーと各回路を制御するための演算処理回路９と、入力された電流より内部電源電圧を確保する電源回路10より構成された灯器断芯検出装置である。
【０００８】
変流器１の二次側から供給される電流を入力して灯器２にこの電流を出力している時に断芯すると、変流器１の二次側が開放状態となり高電圧が発生する。灯器２が断芯していない状態ではアレスタ11により開放を保持している過電圧保護回路３は、高電圧が印加されると所定の電圧レベルでアレスタ11が放電を開始して短絡状態となり、放電したことにより通電される電流を過電圧検出回路４のセンサー12で検出する。過電圧検出回路４は電流を検出したことにより過電圧が発生したことを演算処理回路９に伝え、演算処理回路９は灯器２が断芯したと判断する。断芯を判断した演算処理回路９は灯器２が断芯したことにより変流器１の二次側から供給される電流が電源回路10に供給されずに灯器断芯検出装置が動作できなくなることを回避するためリレー５をメイク状態にして変流器１の二次側からの電流をリレー５の接点でバイパスさせて電源回路10に変流器１の二次側からの電流を供給すると共に、灯器２が断芯したことによる変流器１の二次側の開放状態と高電圧の発生を復帰させる。また、演算処理回路９は灯器２が断芯したことを伝送制御回路８に伝え、伝送制御回路８は伝送路６を介して外部装置７に灯器２が断芯したことを伝える。
【０００９】
以上のような実施例により、空港の滑走路・誘導路等に設置される誘導灯・制御灯等の灯器を制御する航空機誘導システム等に於いて、灯器ごとに本灯器断芯検出装置を設置することにより、灯器が断芯した場合に断芯を即時に検出し、伝送路を介して外部装置に断芯を伝えることができるため、人為的に灯器の場所に行って断芯を目視確認することなく発見でき、断芯を発見するまでの時間と労力を大幅に短縮できる。
さらに、灯器の断芯を即時に発見することができるため、断芯した灯器の交換も即時にできるようになり、システムの信頼性を向上することができる。
【００１０】
（第２の実施の形態）
図２の構成図に於いて、演算処理回路９が過電圧検出回路４から過電圧保護回路３のアレスタ11が放電した時に通電する電流を検出した情報を受け取りリレー５をメイク状態にしてリレー５の接点を短絡させて変流器１の二次側から供給される電流をバイパスした後に、所定の時間経過後にリレー５をブレイク状態にしてリレー５の接点を開放させて変流器１の二次側から供給される電流を灯器２に流した時に、過電圧検出回路４が再度過電圧を検出した場合、演算処理回路９は灯器２が断芯したと判断して外部装置７に灯器２が断芯したことを伝える。
【００１１】
上記のように、過電圧検出回路４にて過電圧を検出した後にリレー５を所定の周期でメイクとブレイクを行い、過電圧検出回路４にて２回連続して過電圧を検出した場合にのみ、灯器２が断芯したと判断するため、ノイズ等による一過性の過電圧による誤検出を防止することができる。
【００１２】
（第３の実施の形態）
図３の構成図のように、図２の構成図のリレーと並列に、変流器１の二次側から供給される電流を内部でバイパス制御することにより灯器２に流す電流を制御する調光回路13が接続された構成の場合、灯器２に流す電流を極端に少なく調光回路13で制御する時に、所定の周期で、灯器２の発光に影響を与えない時間、所定の高いレベルの電流を流す制御を演算処理回路９から調光回路13に指令し、灯器２が断芯した場合に、灯器２の発光に影響を与えない時間流した高いレベルの電流により、変流器１の二次側の開放状態により発生する電圧を、過電圧保護回路３のアレスタ11が放電できる高い電圧レベルにさせることができるため、灯器２を消灯状態としている場合でも灯器２が断芯したことを検出して外部装置７に伝えることができる。
【００１３】
（第４の実施の形態）
図４の構成図のように、図２の構成図の灯器２が複数個直列に接続されて、高電圧を印加することにより短絡動作するフィルムカットアウト14を灯器断芯検出装置の外部に複数個の灯器２と個々に並列に接続されている構成の場合、複数個の灯器２のどれかが断芯した時、演算処理回路９が過電圧検出回路４から過電圧保護回路３のアレスタ11が放電した時に通電する電流を検出した情報を受け取り、灯器２のいずれかが断芯したと判断した後リレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11で放電した所定レベルの電圧を断芯した灯器２に接続されたフィルムカットアウト14に印加することを交互に繰り返し行う。このリレー５のメイクとブレイク動作により断芯した灯器２に接続されたフィルムカットアウト14が短絡動作して電流をバイパスして、変流器１の二次側の開放状態が復帰して高電圧が発生しなくなり過電圧検出回路４が過電圧を検出しなくなるまで行うことにより、灯器断芯検出装置に接続された複数の灯器２のいずれかに断芯が発生していることを検出すると共に、断芯した灯器以外は点灯状態を保持可能とすることができる。
【００１４】
（第５の実施の形態）
図４の構成図のように、図２の構成図の灯器２が複数個直列に接続されて、高電圧を印加することにより短絡動作するフィルムカットアウト14を灯器断芯検出装置の外部に複数個の灯器２と個々に並列に接続されている構成の場合、複数個の灯器２のどれかが断芯した時、演算処理回路９が過電圧検出回路４から過電圧保護回路３のアレスタ11が放電した時に通電する電流を検出した情報を受け取りリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11で放電した所定レベルの電圧を断芯した灯器２に接続されたフィルムカットアウト14に印加することを交互に繰り返し所定の回数まで、過電圧検出回路４が過電圧を検出しなくなるまで行う。所定の回数まで行っても断芯した灯器２に接続されたフィルムカットアウト14が短絡動作せずに過電圧検出回路４が過電圧を検出した場合は、リレー５をメイク状態にして灯器断芯検出装置の内部で変流器１の二次側からの電流をバイパスさせる。
【００１５】
上記のように、灯器２が複数個直列に接続された場合に、複数個の灯器２のどれかが断芯して、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００１６】
（第６の実施の形態）
図４の構成図のように、図２の構成図の灯器２が複数個直列に接続されて、高電圧を印加することにより短絡動作するフィルムカットアウト14を灯器断芯検出装置の外部に複数個の灯器２と個々に並列に接続されている構成の場合、複数個の灯器２のどれかが断芯した時、演算処理回路９が過電圧検出回路４から過電圧保護回路３のアレスタ11が放電した時に通電する電流を検出した情報を受け取りリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11で放電した所定レベルの電圧を断芯した灯器２に接続されたフィルムカットアウト14に印加することを交互に繰り返し所定の回数まで無条件に行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００１７】
上記のように、灯器２が複数個直列に接続された場合に、複数個の灯器２のどれかが断芯して、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００１８】
（第７の実施の形態）
図５の構成図のように、図４の構成図のリレー５と並列に変流器１の二次側から供給される電流を内部でバイパス制御することにより灯器２に流す電流を制御する調光回路13を接続した構成の場合、複数個の灯器２に流す電流を変流器１の二次側から供給される電流より低く調光回路13で制御して出力している時に、複数個の灯器２のどれかが断芯した時に、演算処理回路９が過電圧検出回路４から過電圧保護回路３のアレスタ11が放電した時に通電する電流を検出した情報を受け取り、演算処理回路９からの調光回路13の制御を停止して変流器１の二次側からの電流全てが灯器２に流れるようにして、変流器１の二次側の開放状態により発生する電圧を高くし、断芯した灯器２に接続されたフィルムカットアウト14の短絡動作をし易くできる。
【００１９】
（第８の実施の形態）
図５の構成図のように、図４の構成図のリレー５と並列に変流器１の二次側から供給される電流を内部でバイパス制御することにより灯器２に流す電流を制御する調光回路13を接続した構成の場合、複数個の灯器２に流す電流を変流器１の二次側から供給される電流より低く調光回路13で制御して出力している時に、複数個の灯器２のどれかが断芯した時に、演算処理回路９が過電圧検出回路４から過電圧保護回路３のアレスタ11が放電した時に通電する電流を検出した情報を受け取り、演算処理回路９からの調光回路13の制御を停止して変流器１の二次側からの電流全てが灯器２に流れるようにして、変流器１の二次側の開放状態により発生する電圧を高くし、演算処理回路９からリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11で放電した所定レベルの電圧を断芯した灯器２に接続されたフィルムカットアウト14に印加することを交互に繰り返し所定の回数まで、過電圧検出回路４が過電圧を検出しなくなるまで行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００２０】
上記のように、調光回路13により複数個の灯器２に流す電流を制御している時に複数個のどれかの灯器２が断芯しても、断芯した灯器に接続されたフィルムカットアウト14に印加する電圧を高くすることができるため、フィルムカットアウト14の短絡動作をし易くできる。
【００２１】
また、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００２２】
（第９の実施の形態）
図５の構成図のように、図４の構成図のリレー５と並列に変流器１の二次側から供給される電流を内部でバイパス制御することにより灯器２に流す電流を制御する調光回路13を接続した構成の場合、複数個の灯器２に流す電流を変流器１の二次側から供給される電流より低く調光回路13で制御して出力している時に、複数個の灯器２のどれかが断芯した時に、演算処理回路９が過電圧検出回路４から過電圧保護回路３のアレスタ11が放電した時に通電する電流を検出した情報を受け取り、演算処理回路９からの調光回路13の制御を停止して変流器１の二次側からの電流全てが灯器２に流れるようにして、変流器１の二次側の開放状態により発生する電圧を高くし、演算処理回路９からリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11で放電した所定レベルの電圧を断芯した灯器２に接続されたフィルムカットアウト14に印加することを交互に繰り返し所定の回数まで無条件に行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００２３】
上記のように、調光回路13により複数個の灯器２に流す電流を制御している時に複数個のどれかの灯器２が断芯しても、断芯した灯器に接続されたフィルムカットアウト14に印加する電圧を高くすることができるため、フィルムカットアウト14の短絡動作をし易くできる。
【００２４】
また、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００２５】
（第10の実施の形態）
図６の構成図のように、図４の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２のどれかが断芯して変流器１の二次側の開放状態により高電圧が発生すると、高電圧は過電圧保護回路３のアレスタ11に印加されて、アレスタ11は所定の電圧レベルで放電し、放電したことにより通電する電流を過電圧検出回路４のセンサー12で検出して演算処理回路９に伝え、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にする。アレスタ11とアレスタ15が直列接続状態になるとアレスタが放電を開始する電圧レベルはアレスタ11の放電を開始する電圧レベルとアレスタ15が放電を開始する電圧レベルの和になり、フィルムカットアウト14に印加される電圧が高くなる。
【００２６】
上記のように、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を短絡動作させることができる。
【００２７】
（第11の実施の形態）
図６の構成図のように、図４の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２のどれかが断芯して変流器１の二次側の開放状態により高電圧が発生すると、高電圧は過電圧保護回路３のアレスタ11に印加されて、アレスタ11は所定の電圧レベルで放電し、放電したことにより通電する電流を過電圧検出回路４のセンサー12で検出して演算処理回路９に伝え、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にした後、演算処理回路９はリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11とアレスタ15が直列に接続した状態で放電した所定レベルの電圧を断芯した灯器２に接続されたフィルムカットアウト14に印加することとを交互に繰り返し行い、断芯した灯器２に接続されたフィルムカットアウト14が短絡動作して電流をバイパスして、変流器１の二次側の開放状態が復帰して高電圧が発生しなくなり過電圧検出回路４が過電圧を検出しなくなるまで行う。
【００２８】
上記のように、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を、より確実に短絡動作させることができる。
【００２９】
（第12の実施の形態）
図６の構成図のように、図４の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２のどれかが断芯して変流器１の二次側の開放状態により高電圧が発生すると、高電圧は過電圧保護回路３のアレスタ11に印加されて、アレスタ11は所定の電圧レベルで放電し、放電したことにより通電する電流を過電圧検出回路４のセンサー12で検出して演算処理回路９に伝え、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にした後、演算処理回路９はリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11とアレスタ15が直列に接続した状態で放電した所定レベルの電圧を断芯した灯器２に接続されたフィルムカットアウト14に印加することとを交互に繰り返し所定の回数まで、過電圧検出回路４が過電圧を検出しなくなるまで行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００３０】
上記のように、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を、より確実に短絡動作させることができる。
【００３１】
また、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００３２】
（第13の実施の形態）
図６の構成図のように、図４の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２のどれかが断芯して変流器１の二次側の開放状態により高電圧が発生すると、高電圧は過電圧保護回路３のアレスタ11に印加されて、アレスタ11は所定の電圧レベルで放電し、放電したことにより通電する電流を過電圧検出回路４のセンサー12で検出して演算処理回路９に伝え、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にした後、演算処理回路９はリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11とアレスタ15が直列に接続した状態で放電した所定レベルの電圧を断芯した灯器２に接続されたフィルムカットアウト14に印加することとを交互に繰り返し所定の回数まで無条件に行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００３３】
上記のように、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を、より確実に短絡動作させることができる。
【００３４】
また、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００３５】
（第14の実施の形態）
図７の構成図のように、図５の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２に流す電流を変流器１の二次側から供給される電流より低く調光回路13で制御して出力している時に、複数個の灯器２のどれかが断芯した時に、演算処理回路９が過電圧検出回路４から過電圧保護回路３のアレスタ11が放電した時に通電する電流を検出した情報を受け取り、演算処理回路９からの調光回路13の制御を停止して変流器１の二次側からの電流全てが灯器２に流れるようにして、変流器１の二次側の開放状態により発生する電圧を高くし、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にした後、演算処理回路９はリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11とアレスタ15が直列に接続した状態で放電した所定レベルの電圧を断芯した灯器２に接続されたフィルムカットアウト14に印加することとを交互に繰り返し所定の回数まで、過電圧検出回路４が過電圧を検出しなくなるまで行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００３６】
上記のように、調光回路13により複数個の灯器２に流す電流を制御している時に複数個のどれかの灯器２が断芯しても、断芯した灯器に接続されたフィルムカットアウト14に印加する電圧を高くすることができるため、フィルムカットアウト14の短絡動作をし易くできる。
【００３７】
また、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を、より確実に短絡動作させることができる。
【００３８】
さらに、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００３９】
（第15の実施の形態）
図７の構成図のように、図５の構成図の過電圧保護回路３をアレスタ11とアレスタ15とアレスタの接続を切り替えるための切替リレー16で構成し、灯器２が断芯していない状態では切替リレー16をメイク状態にして切替リレー16の接点を短絡状態にしておく。複数個の灯器２に流す電流を変流器１の二次側から供給される電流より低く調光回路13で制御して出力している時に、複数個の灯器２のどれかが断芯した時に、演算処理回路９が過電圧検出回路４から過電圧保護回路３のアレスタ11が放電した時に通電する電流を検出した情報を受け取り、演算処理回路９から調光回路13の制御を停止して変流器１の二次側からの電流全てが灯器２に流れるようにして、変流器１の二次側の開放状態により発生する電圧を高くし、演算処理回路９はリレー５をメイク状態にして、変流器１の二次側から供給される電流を電源回路10に供給して灯器断芯検出装置の電源を確保した後に、切替リレー16をブレイク状態にし切替リレー16の接点を開放させてアレスタ11とアレスタ15を直列接続状態にした後、演算処理回路９はリレー５を所定の周期でメイクとブレイクを交互に制御して、リレー５をメイクした時に変流器１の二次側から供給される電流をリレー５の接点でバイパスさせて灯器断芯検出装置の電源の確保と、リレー５をブレイクした時に変流器１の二次側の開放により発生する高電圧が過電圧保護回路３のアレスタ11とアレスタ15が直列に接続した状態で放電した所定レベルの電圧を断芯した灯器２に接続されたフィルムカットアウト14に印加することとを交互に繰り返し所定の回数まで無条件に行う。所定の回数まで行っても断芯した灯器２に接続されたフィルムカットアウト14が短絡動作せずに過電圧検出回路４が過電圧を検出した場合は、リレー５をメイク状態にしてリレー５の接点を短絡し灯器断芯検出装置の内部で変流器１の二次側からの電流をバイパスさせる。
【００４０】
上記のように、調光回路13により複数個の灯器２に流す電流を制御している時に複数個のどれかの灯器２が断芯しても、断芯した灯器に接続されたフィルムカットアウト14に印加する電圧を高くすることができるため、フィルムカットアウト14の短絡動作をし易くできる。
【００４１】
また、過電圧保護回路３のアレスタ11とアレスタ15の接続構成を切り替えることにより、過電圧保護回路３が放電を開始する電圧レベルを断芯検出前に低くしておき、断芯検出後は高くすることができるため、確実に灯器２の断芯を検出し、断芯した灯器２に接続されたフィルムカットアウト14を、より確実に短絡動作させることができる。
【００４２】
さらに、断芯した灯器２に接続されたフィルムカットアウト14が短絡動作しない場合や、短絡動作するまでに長時間を要する場合に、灯器２の断芯による変流器１の二次側の開放状態を所定の時間で復帰させて、変流器１の一次側に与える影響を抑えシステム的な信頼性を向上させることができる。
【００４３】
【発明の効果】
以上のような実施例により、空港の滑走路・誘導路等に設置される誘導灯・制御灯等の灯器を制御する航空機誘導システム等に於いて、灯器ごとに本灯器断芯検出装置を設置することにより、灯器が断芯した場合に断芯を即時に検出し、伝送路を介して外部装置に断芯を伝えることができるため、人為的に灯器の場所に行って断芯を目視確認することなく発見でき、断芯を発見するまでの時間と労務を大幅に短縮できる。
【００４４】
また、灯器の断芯を即時に発見することができるため、断芯した灯器の交換も即時にできるようになり、システムの信頼性を向上することができる。
また、過電圧検出回路にて過電圧を検出した後にリレーを所定の周期でメイクとブレイクを行い、過電圧検出回路にて２回連続して過電圧を検出した場合にのみ、灯器が断芯したと判断するため、ノイズ等による一過性の過電圧による誤検出を防止することができる。
【００４５】
また、変流器の二次側から供給される電流を内部でバイパス制御することにより灯器に流す電流を制御する調光回路を灯器断芯検出装置の内部に接続して、調光回路で灯器に流す電流を制御している場合でも断芯を検出することができる。
【００４６】
また、調光回路により灯器を消灯制御している場合に、所定の周期で灯器の発光に影響を与えない時間高いレベルの電流を流すことにより、灯器が断芯した場合でも、過電圧検出回路で検出できる電圧レベルを発生させることができるため、灯器が断芯したことを検出して外部装置に伝えることができる。
【００４７】
また、複数個の灯器を直列に接続した場合でも、複数個のどれかの灯器の断芯を検出することができる。
また、複数個の灯器を直列に接続した場合に、複数個の灯器のどれかが断芯して、断芯した灯器に接続されたフィルムカットアウトが短絡動作しない場合や、短絡動作するまでに長時間を要する場合に、変流器の二次側の開放状態を所定の時間で復帰させることができるため、変流器の一次側に及ぼす影響を抑えることができ、システム的な信頼性を向上させることができる。
【００４８】
また、過電圧保護回路のアレスタの接続構成を切り替えることにより、確実に灯器断芯を検出し、断芯した灯器に接続されたフィルムカットアウトを、より確実に短絡動作させることができる。
【図面の簡単な説明】
【図１】本発明の一実施の形態の灯器断芯検出装置の構成図。
【図２】本発明の他の実施の形態の灯器断芯検出装置の構成図。
【図３】本発明の他の実施の形態の灯器断芯検出装置の構成図。
【図４】本発明の他の実施の形態の灯器断芯検出装置の構成図。
【図５】本発明の他の実施の形態の灯器断芯検出装置の構成図。
【図６】本発明の他の実施の形態の灯器断芯検出装置の構成図。
【図７】本発明の他の実施の形態の灯器断芯検出装置の構成図。
【図８】従来の技術の構成図。
【符号の説明】
１…変流器
２…灯器
３…過電圧保護回路
４…過電圧検出回路
５…リレー
６…伝送路
７…外部装置
８…伝送制御回路
９…演算処理回路
10…電源回路
11…アレスタ
12…センサー
13…調光回路
14…フィルムカットアウト
15…アレスタ
16…切替リレー
【図１】
0003741766.tif 000002
【図２】
0003741766.tif 000003
【図３】
0003741766.tif 000004
【図４】
0003741766.tif 000005
【図５】
0003741766.tif 000006
【図６】
0003741766.tif 000007
【図７】
0003741766.tif 000008
【図８】
0003741766.tif 000009